(57)【特許請求の範囲】
【請求項１】
給油管に給油ポンプ及び流量計が介装され、給油管に接続した給油ホースの先端に給油ノズルが設けられた給油機構と、給油ポンプを駆動制御して給油量を給油量表示器に表示する給油制御装置と、給油ノズルにより開閉されるノズルスイッチからの信号に応答して流量パルス発信器からの信号を計数して積算する電子積算計、とを設けた給油装置において、前記電子積算計にはＩＤコードを記憶したＩＤコード記憶手段が設けられ、前記給油制御装置にはＩＤコードを記憶するメモリ及びＩＤ比較手段が設けられており、該ＩＤ比較手段は、ノズルスイッチからオン信号を受けてメモリに記憶されているＩＤコードとＩＤコード記憶手段に記憶されているＩＤコードとを比較し、ＩＤコードが一致している場合に給油ポンプを駆動し、ＩＤコードが不一致の場合に報知器を作動する様に構成されていることを特徴とする給油装置。
【請求項２】
給油管に給油ポンプ及び流量計が介装され、給油管に接続した給油ホースの先端に給油ノズルが設けられた給油機構と、給油ポンプを駆動制御して給油量を給油量表示器に表示する給油制御装置と、給油ノズルにより開閉されるノズルスイッチからの信号に応答して流量パルス発信器からの信号を計数して積算する電子積算計、とを設けた給油装置において、前記電子積算計とは別個に給油量を積算する管理積算計を設け、前記給油制御装置に積算量比較手段を設け、該積算量比較手段は、ノズルスイッチからオン信号を受けて管理積算計の積算量と前記電子積算計の積算量を比較し、積算量が一致している場合に給油ポンプを駆動し、積算量が不一致の場合に報知器を作動する様に構成されていることを特徴とする給油装置。
【請求項３】
前記電子積算計にはクロックが設けられ、積算量はクロックの日時データと共に記憶される請求項１又は２に記載の給油装置。
【請求項４】
前記電子積算計には給油系統毎のフラグと共に積算量が記憶される請求項１−３の何れか１項に記載の給油装置。
【請求項５】
前記電子積算計にはメディアライタが設けられ、電子積算計のデータはメディアライタにより記憶媒体に記録される請求項１−４の何れか１項に記載の給油装置。
【発明の詳細な説明】
【０００１】
【産業上の利用分野】
本発明は、給油所で自動車へ燃料油を供給する給油装置に関する。
【０００２】
【従来の技術】
給油所に設置されている給油装置には、流量計で計られた給油量を積算する電子式の積算計とメカ式の積算計が設けられていた。
近年、部品点数を削減してコストダウンを図るために電子式の積算計だけとした給油装置が一般的となっている。
【０００３】
しかし、電子式の積算計だけであると、従業員が電子積算計を修正したり、交換したりして不正給油を行う可能性が存在し、正確な給油量の集計ができなくなる、という問題がある。
【０００４】
また、給油所用データ入出力装置と接続されていない給油装置では、給油量の集計管理をすることができない、という不都合が存在する。
【０００５】
【発明が解決しようとする課題】
本発明は、上述した様な従来技術の問題点に鑑みて提案されたものであり、電子積算計の修正又は交換による不正給油を防止できる給油装置を提供することを目的としている。
また、給油所用データ入出力装置と接続されていない場合にも、給油量の集計管理を容易にすることができる給油装置を提供することを目的としている。
【０００６】
【課題を解決するための手段】
本発明の給油装置は、給油管に給油ポンプ及び流量計が介装され、給油管に接続した給油ホースの先端に給油ノズルが設けられた給油機構と、給油ポンプを駆動制御して給油量を給油量表示器に表示する給油制御装置と、給油ノズルにより開閉されるノズルスイッチからの信号に応答して流量パルス発信器からの信号を計数して積算する電子積算計、とを設けた給油装置において、前記電子積算計にはＩＤコードを記憶したＩＤコード記憶手段が設けられ、前記給油制御装置にはＩＤコードを記憶するメモリ及びＩＤ比較手段が設けられており、該ＩＤ比較手段は、ノズルスイッチからオン信号を受けてメモリに記憶されているＩＤコードとＩＤコード記憶手段に記憶されているＩＤコードとを比較し、ＩＤコードが一致している場合に給油ポンプを駆動し、ＩＤコードが不一致の場合に報知器を作動する様に構成されている。
ここで、報知器が作動した際には、給油ポンプが駆動停止となる様に構成することが好ましい。
【０００７】
係る構成を具備する本発明の給油装置によれば、電子積算計の交換による不正給油が行われると、その給油装置に固有のＩＤコードを記憶したＩＤコード記憶手段も交換されることとなり、電子積算計のＩＤコードとメモリに記憶されたＩＤコードとが一致しなくなる。その結果、前記ＩＤ比較手段により、電子積算計のＩＤコードとメモリのＩＤコードが一致していないと判断され、報知器が作動する。
報知器が作動すれば、電子積算計の交換による不正給油が行われたことが発覚するので、例えば給油ポンプを駆動停止する等の措置を講ずることが出来る。
【０００８】
また、本発明の給油装置は、給油管に給油ポンプ及び流量計が介装され、給油管に接続した給油ホースの先端に給油ノズルが設けられた給油機構と、給油ポンプを駆動制御して給油量を給油量表示器に表示する給油制御装置と、給油ノズルにより開閉されるノズルスイッチからの信号に応答して流量パルス発信器からの信号を計数して積算する電子積算計、とを設けた給油装置において、前記電子積算計とは別個に給油量を積算する管理積算計を設け、前記給油制御装置に積算量比較手段を設け、該積算量比較手段は、ノズルスイッチからオン信号を受けて管理積算計の積算量と前記電子積算計の積算量を比較し、積算量が一致している場合に給油ポンプを駆動し、積算量が不一致の場合に報知器を作動する様に構成されている。
【０００９】
本発明に実施に際して、前記管理積算計は、前記給油制御装置に設けられた給油量の計数手段の出力信号を受信して、給油量の積算値を決定する様に構成されているのが好ましい。
また、前記報知器が作動した際には、給油ポンプが駆動停止となる様に構成することが好ましい。
さらに、前記管理積算計は、不正な操作が困難である様な構造が採用されるか、或いは、給油施設の管理者以外の者が近接出来ない様な安全な場所に設置されていることが好ましい。
【００１０】
係る構成を具備する本発明によれば、電子積算計の修正又は交換による不正給油が行われ、電子積算計による積算値が変更された場合には、前記管理積算計の積算値は変更されていないので、両者の積算値が不一致となる。その結果、前記積算量比較手段により、電子積算計の積算値と管理積算計の積算値とは不一致である、と判断され、報知器が作動する。
報知器が作動すれば、電子積算計の修正又は交換による不正給油が行われたことが発覚するので、例えば給油ポンプを駆動停止する等の措置を講ずることが出来る。
【００１１】
本発明において、前記電子積算計にはクロックが設けられ、積算量はクロックの日時データと共に記憶されるのが好ましい。
この様に構成すれば、給油データの管理が日時毎にでき、詳細な営業分析をすることができる。
【００１２】
また本発明において、前記電子積算計には給油系統毎のフラグと共に積算量が記憶されるのが好ましい。
その様な構成であれば、給油データの管理が給油系統毎にでき、詳細な営業分析をすることができる。
【００１３】
さらに本発明において、前記電子積算計にはメディアライタが設けられ、電子積算計のデータはメディアライタにより記憶媒体に記録されるのが好ましい。
係る構成を具備すれば、給油所用データ入出力装置と接続されていない場合にも、給油データの集計管理が容易にできる。
【００１４】
【発明の実施の形態】
以下、添付図面を参照にして、本発明の実施の形態を説明する。
【００１５】
図１、２に示すように、給油装置１は、給油機構を収納した下部ケース２、制御機構を収納した上部ケース３、及び給油ホースを吊り下げた頂部ケース４で構成されている。
下部ケース２内には複数油種、例えばハイオクタンガソリンＨ、レギュラーガソリンＲ、及び軽油Ｋの３油種の給油系統が組み込まれている。
【００１６】
ハイオクタンガソリンＨの給油系統を例にすると、その給油管５には、給油ポンプ６、及び流量パルス発信器７を設けた流量計８が介装されている。
そして、給油管５は頂部ケース４まで配設され、給油管５に接続された給油ホース９の先端には給油ノズル１０が設けられ、給油ノズル１０はノズルスイッチ１１を有するノズル掛け１２に掛けられている。
【００１７】
なお、レギュラーガソリンＲ及び軽油Ｋの給油系統は、ハイオクタンガソリンＨの給油系統と同様であるので説明を省略する。
【００１８】
給油ポンプ６、流量パルス発信器７、及びノズルスイッチ１１は給油制御装置１３に接続され各機器が制御されるようになっている。給油制御装置１３には、さらに、給油量表示器１４、報知器１５、受信部１６、キーボード１７、及び電子積算計１８が接続されている。
【００１９】
電子積算計１８には、積算表示器１９、プリンタ２０、メディアライタ２１が接続されている。
なお、メディアライタ２１により記憶される記憶媒体としては、磁気カード、ＩＣカード、ＦＤ等であり、これらの記憶媒体に記憶されたデータは、事務所等に設けられたＰＣ等で処理されるようになっている。
【００２０】
給油制御装置１３は、工場出荷時にＩＤコードが記憶されるメモリ２２、ＩＤ比較手段２３、ＩＤ比較手段２３から一致信号を受けて給油ポンプ６を駆動するポンプ駆動手段２４、ＩＤ比較手段２３から不一致信号を受けて報知器１５を作動させる報知器駆動手段２５、計数手段２６、計数手段２６の計数値を給油量表示器１４に表示する給油量表示器駆動手段２７、積算量読取手段２８を備えている。
【００２１】
ここで、ＩＤ比較手段２３は、ノズルスイッチ１１からオン信号を受けて、後述するＩＤコード記憶手段に記憶されているＩＤコードとメモリ２２に記憶されているＩＤコードを比較し、一致信号又は不一致信号を出力する様に構成されている。
また、計数手段２６は、ノズルスイッチ１１からオン信号を受けて前回の計数値を帰零し、流量パルス発信器７の流量パルスを計数して計数値を出力する様に構成されている。
そして、積算量読取手段２８は、受信部１６又はキーボード１７から指示信号を受けて読取信号を出力する様に構成されている。
【００２２】
電子積算計１８は、ＩＤコードを記憶したＩＤコード記憶手段２９、日時信号を出力するクロック３０、累積手段３１、積算量記憶手段３２、積算表示器駆動手段３３、プリンタ駆動手段３４を備えている。
【００２３】
ここで、累積手段３１は、計数手段２６の計数値を積算し、積算量を出力する様に構成されている。
そして、積算量記憶手段３２は、累積手段３１の積算量をクロック３０の日時信号及び給油系統を識別するフラグと共に記憶し、読取信号を受けて積算量及び日時データを出力する様に構成されている。
また、積算表示器駆動手段３３は、積算量記憶手段３２の積算量及び日時データを積算表示器１９へ表示する様に構成されている。
さらに、プリンタ駆動手段３４は、積算量記憶手段３２の積算量及び日時データをプリンタ２０で印字する様に構成されている。
【００２４】
なお、図１中の符号３５はカードリーダ、符号３６は入出力データ表示器である。
【００２５】
次に給油装置１の動作を説明する。
自動車へ給油をするには、カードリーダ３５で給油カードを読み、キーボード１７から給油量及び油種等の給油データを入力すると、給油データは入出力データ表示器３６に表示され、給油制御装置１３へ伝わる。
【００２６】
そして、選択した油種の給油ノズル１０をノズル掛け１２から外すと、ノズルスイッチ１１からオン信号が給油制御装置１３のＩＤ比較手段２３及び計数手段２６に入力し、計数手段２６の前回の給油量が帰零され、ＩＤ比較手段２３で電子積算計１８のＩＤコード記憶手段２９に記憶されているＩＤコードとメモリ２２に記憶されているＩＤコードが比較され、ＩＤコードが一致しているとポンプ駆動手段２４へ一致信号を伝える。
一致信号を受けたポンプ駆動手段２４は給油ポンプ６を駆動し、給油ノズル１０のバルブを開いて給油が開始される。
【００２７】
給油により流量計８の流量パルス発信器７の流量パルスが計数手段２６に入力し、流量パルスを計数した計数値が計数手段２６から給油量表示器駆動手段２７に伝わり、給油量表示器１４に表示される。
また、計数手段２６の計数値は電子積算計１８の累積手段３１で積算され、累積手段３１の積算量はクロック３０の日時信号及び給油系統を識別するフラグと共に積算量記憶手段３２に記憶される。
【００２８】
給油が終わり給油ノズル１０をノズル掛け１２に掛けると、ノズルスイッチ１１のオフ信号により給油ポンプ６は停止する。
以上のようにして正常な給油装置１の給油は行われる。
【００２９】
これに対して、電子積算計１８を不正に交換したり、電子積算計１８を外した給油装置１の場合は、ＩＤコード記憶手段２９から正規のＩＤコードがＩＤ比較手段２３に入力しないので、給油ノズル１０をノズル掛け１２から外してノズルスイッチ１１からオン信号がＩＤ比較手段２３に入力し、ＩＤ比較手段２３でＩＤコード記憶手段２９のＩＤコードとメモリ２２のＩＤコードとの比較は不一致となり、ＩＤ比較手段２３から不一致信号を受けて報知器駆動手段２５が報知器１５を作動して不正を報知し、給油ポンプ６は駆動されない。
【００３０】
このように電子積算計１８を不正に交換したり、電子積算計１８を外した場合は、給油ポンプ６が駆動することなく報知器１５が作動するので、不正給油をすることを防止できる。
【００３１】
上述したＩＤコードの判断を、図３に示すフロー図で説明すると、ノズルスイッチ１１からオン信号が給油制御装置１３に入力すると（図３：ＳＴ１）、ＩＤ比較手段２３はＩＤコード記憶手段２９のＩＤコードとメモリ２２のＩＤコードとを比較し（図３：ＳＴ２）、ＩＤコードが一致していると（図３：ＳＴ３のＹＥＳ）、一致信号を出力して給油ポンプ６を駆動し（図３：ＳＴ４）、ＩＤコードが不一致であると（図３：ＳＴ３のＮＯ）、不一致信号を出力して報知器１５を作動するようになっている（図３：ＳＴ５）。
【００３２】
一日の営業時間の終わり等に売り上げた給油量を出力するには、図示しないリモコンを操作して受信部１６に指示信号を与えるか、キーボード１７を操作して指示信号を与えると、給油制御装置１３の積算量読取手段２８から読取信号が電子積算計１８に伝わり、積算量記憶手段３２に記憶されている積算量が日時データと共に出力される。
【００３３】
そして、積算表示器駆動手段３３を介して積算表示器１９に表示され、プリンタ駆動手段３４を介してプリンタ２０で印字され、メディアライタ２１により記憶媒体に記憶され、記憶媒体に記憶されたデータはＰＣ等で処理されるようになっている。
【００３４】
次に、第２実施形態の給油装置を説明する。
上述した実施の形態の給油装置ではＩＤコードにより不正の判断をしているが、本実施の形態の給油装置は積算量を比較することにより不正の判断をしている。なお、給油装置の外形は上述した実施の形態の給油装置と同様であるので、同一の部分は同じ符号を付して説明する。
【００３５】
図４に示すように、給油装置１の給油制御装置１３は、計数手段４０、計数手段４０の計数値を給油量表示器１４に表示する給油量表示器駆動手段４１、積算量比較手段４３、積算量比較手段４３から一致信号を受けて給油ポンプ６を駆動するポンプ駆動手段４４、積算量比較手段４３から不一致信号を受けて報知器１５を作動させる報知器駆動手段４５、積算量読取手段４６を具備している。
【００３６】
ここで、計数手段４０は、ノズルスイッチ１１からオン信号を受けて、前回の計数値を帰零し、流量パルス発信器７の流量パルスを計数して計数値を出力する様に構成されている。
また、積算量比較手段４３は、ノズルスイッチ１１からオン信号を受けて、後述する管理積算計４２に記憶されている積算量と電子積算計１８の積算量記憶手段に記憶されている積算量とを比較し、一致信号又は不一致信号を出力する様に構成されている。
これに加えて、積算量読取手段４６は、受信部１６又はキーボード１７から指示信号を受けて読取信号を出力する様に構成されている。
【００３７】
管理積算計４２は、事務所等で責任者以外の人が近づけない場所に設置されている。
そして、管理積算計４２は、計数手段４０の計数値を積算し、積算値を積算量比較手段４３に出力するようになっている。
【００３８】
電子積算計１８は、日時信号を出力するクロック４７、累積手段４８、積算量記憶手段４９積算表示器駆動手段５０、プリンタ駆動手段５１を備えている。
【００３９】
ここで、累積手段４８は、計数手段４０の計数値を積算し、積算量を出力する様に構成されている。
また、積算量記憶手段４９は、累積手段４８の積算量をクロック４７の日時信号及び給油系統を示すフラグと共に記憶し、読取信号を受けて積算量及び日時データを出力する様に構成されている。
そして、積算表示器駆動手段５０は、積算量記憶手段４９の積算量及び日時データを積算表示器１９へ表示する様に構成されている。
さらに、プリンタ駆動手段５１は、積算量記憶手段４９の積算量及び日時データをプリンタ２０で印字する様に構成されている。
【００４０】
次に、この実施の形態の給油装置の動作を説明する。
自動車へ給油をするには、カードリーダ３５で給油カードを読み、キーボード１７から給油量及び油種等の給油データを入力すると、給油データは入出力データ表示器３６に表示され、給油制御装置１３へ伝わる。
【００４１】
選択した油種の給油ノズル１０をノズル掛け１２から外すと、ノズルスイッチ１１からオン信号が給油制御装置１３の積算量比較手段４３及び計数手段４０に入力し、計数手段４０の前回の給油量が帰零され、積算量比較手段４３で電子積算計１８の積算量記憶手段４９の積算量と管理積算計４２の積算量が比較され、積算量が一致しているとポンプ駆動手段４４へ一致信号を伝える。
一致信号を受けたポンプ駆動手段４４は給油ポンプ６を駆動し、給油ノズル１０のバルブを開いて給油が開始される。
【００４２】
給油により流量計８の流量パルス発信器７の流量パルスが計数手段４０に入力し、流量パルスを計数した計数値が計数手段４０から給油量表示器駆動手段４１に伝わり、給油量表示器１４に表示される。
【００４３】
計数手段４０の計数値は電子積算計１８の累積手段４８で積算され、累積手段４８の積算量はクロック４７の日時信号及び給油系統を示すフラグと共に積算量記憶手段４９に記憶され、さらに計数手段４０の計数値は管理積算計４２で積算される。
【００４４】
給油が終わり給油ノズル１０をノズル掛け１２に掛けると、ノズルスイッチ１１のオフ信号により給油ポンプ６は停止する。
以上のようにして正常な給油装置１の給油は行われる。
【００４５】
これに対して、電子積算計１８を不正に交換したり、電子積算計１８を外した給油装置１の場合は積算量記憶手段４９から正規の積算量が積算量比較手段４３に入力しないので、給油ノズル１０をノズル掛け１２から外してノズルスイッチ１１からオン信号が積算量比較手段４３に入力すれば、積算量比較手段４３で積算量記憶手段４９の積算量と管理積算計４２の積算量の比較は不一致となり、積算量比較手段４３から不一致信号を受けて報知器駆動手段４５が報知器１５を作動して不正を報知し、給油ポンプ６は駆動されない。
【００４６】
このように電子積算計１８を不正に交換したり、電子積算計１８を外した場合は、給油ポンプ６が駆動することなく報知器１５が作動するので、不正給油をすることを防止できる。
【００４７】
上述した積算量の判断を、図５に示すフロー図で説明する。
ノズルスイッチ１１からオン信号が給油制御装置１３に入力すると（図５：ＳＴ１）、積算量比較手段４３は積算量記憶手段４９の積算量と管理積算計４２の積算量とを比較し（図５：ＳＴ２）、積算量が一致していると（図５：ＳＴ３のＹＥＳ）、一致信号を出力して給油ポンプ６を駆動し（図５：ＳＴ４）、積算量が不一致であると（図５：ＳＴ３のＮＯ）、不一致信号を出力して報知器１５を作動するようになっている（図５：ＳＴ５）。
【００４８】
一日の営業時間の終わり等に売り上げた給油量を出力するには、図示しないリモコンを操作して受信部１６に指示信号を与えるか、キーボード１７を操作して指示信号を与えると、給油制御装置１３の積算量読取手段４６から読取信号が電子積算計１８に伝わり、積算量記憶手段４９に記憶されている積算量が日時データと共に出力される。
【００４９】
積算表示器駆動手段５０を介して積算表示器１９に表示され、プリンタ駆動手段５１を介してプリンタ２０で印字され、メディアライタ２１により記憶媒体に記憶され、記憶媒体に記憶されたデータはＰＣ等で処理されるようになっている。
【００５０】
【発明の効果】
以下に本発明の給油装置の効果を記載する。
（１）  電子積算計のＩＤコードとメモリのＩＤコードとが一致していないと報知され、給油ポンプが駆動しないので、電子積算計の修正又は交換による不正給油を防止することができる。
（２）  電子積算計の積算量と管理積算計の積算量が一致していないと報知され、給油ポンプが駆動しないので、電子積算計の修正又は交換による不正給油を防止することができる。
（３）  給油データは日時データと共に記憶されているので、給油データの管理が日時毎にでき、詳細な営業分析をすることができる。
（４）  給油データは給油系統毎のフラグと共に記憶されているので、給油データの管理が給油系統毎にでき、詳細な営業分析をすることができる。
（５）  給油データを記憶媒体に記憶するメディアライタが設けられているので、給油所用データ入出力装置と接続されていない給油装置でも給油データの集計管理が容易にできる。
【図面の簡単な説明】
【図１】本発明の給油装置の正面図。
【図２】本発明の給油装置の第１実施形態のブロック図。
【図３】ＩＤコードの一致・不一致を判断するフロー図。
【図４】本発明の給油装置の第２実施形態のブロック図。
【図５】積算量の一致・不一致を判断するフロー図。
【符号の説明】
１・・・給油装置
２・・・下部ケース
３・・・上部ケース
４・・・頂部ケース
５・・・給油管
６・・・給油ポンプ
７・・・流量パルス発信器
８・・・流量計
９・・・給油ホース
１０・・・給油ノズル
１１・・・ノズルスイッチ
１２・・・ノズル掛け
１３・・・給油制御装置
１４・・・給油量表示器
１５・・・報知器
１６・・・受信部
１７・・・キーボード
１８・・・電子積算計
１９・・・積算表示器
２０・・・プリンタ
２１・・・メディアライタ
２２・・・メモリ
２３・・・ＩＤ比較手段
２４、４４・・・ポンプ駆動手段
２５、４５・・・報知器駆動手段
２６、４０・・・計数手段
２７、４１・・・給油量表示器駆動手段
２８・・・積算量読取手段
２９・・・ＩＤコード記憶手段
３０、４７・・・クロック
３１、４８・・・累積手段
３２、４９・・・積算量記憶手段
３３、５０・・・積算表示器駆動手段
３４、５１・・・プリンタ駆動手段
３５・・・カードリーダ
３６・・・入出力データ表示器
４２・・・管理積算計
４３・・・積算量比較手段
４６・・・積算量読取手段
【図１】
0003928345.tif 000002
【図２】
0003928345.tif 000003
【図３】
0003928345.tif 000004
【図４】
0003928345.tif 000005
【図５】
0003928345.tif 000006